(57)【要約】      （修正有）【課題】フルハーネス型墜落制止用器具が備える胸ベルトに装着することによって、作業現場において発生する熱・火・紫外線による機能劣化の進行を遅らせ、ひいては、器具の不具合によって発生する労働災害の未然防止に寄与する。【解決手段】フルハーネス型墜落制止用器具１０の胸ベルトを覆う保護カバー１であって、耐火、耐熱及び耐紫外線の機能を備え、化学繊維で形成される布部材であって、ベルト形状を成す生地部と、先端を鉤状に起毛させた繊維によって形成される部位であって、生地部表面の短手方向一方端部において、長手方向の一方端部から他方端部まで一様に設置される面ファスナー雄部と、先端をループ状に密集して起毛させた繊維によって形成される部位であって、生地部裏面の短手方向他方端部において、長手方向の一方端部から他方端部まで一様に設置される面ファスナー雌部と、を有する。【選択図】図３
2020156621.tif 000002
【特許請求の範囲】
【請求項１】
建設現場において使用が義務付けられるフルハーネス型墜落制止用器具が備える胸ベルトを覆う保護カバーであって、
耐火、耐熱及び耐紫外線の機能を備え、無機繊維（炭素繊維）を含む化学繊維で形成される布部材であって、ベルト形状を成す生地部と、
先端を鉤状に起毛させた繊維によって形成される部位であって、前記生地部表面の短手方向一方端部において、長手方向の一方端部から他方端部まで一様に設置される面ファスナー雄部と、
先端をループ状に密集して起毛させた繊維によって形成される部位であって、前記生地部裏面の短手方向他方端部において、長手方向の一方端部から他方端部まで一様に設置される面ファスナー雌部と、を有し、
当該保護カバーが筒形状になるように短手方向に折り曲げて、前記胸ベルトを覆った後、前記面ファスナー雄部及び前記面ファスナー雌部を係止させることによって、前記胸ベルト上に固定することを特徴とする保護カバー。
【請求項２】
前記布部材が、片面にブラックシリコンコーティングを施したアラミド繊維の生地、若しくは、片面又は両面にシリコンコートを施した炭化繊維の生地であることを特徴とする請求項１に記載の保護カバー。
【請求項３】
建設現場において使用が義務付けられるフルハーネス型墜落制止用器具が備える胸ベルトを覆う保護カバーであって、耐火、耐熱及び耐紫外線の機能を備え、無機繊維（炭素繊維）を含む化学繊維で形成される布部材であって、ベルト形状を成す生地部と、先端を鉤状に起毛させた繊維によって形成される部位であって、前記生地部表面の短手方向一方端部において、長手方向の一方端部から他方端部まで一様に設置される面ファスナー雄部と、先端をループ状に密集して起毛させた繊維によって形成される部位であって、前記生地部裏面の短手方向他方端部において、長手方向の一方端部から他方端部まで一様に設置される面ファスナー雌部と、を有する前記保護カバーを使用する、建設現場における作業方法において、
前記フルハーネス型墜落制止用器具を着用し、着用した前記胸ベルトの長さに応じて前記保護カバーを切断し、短手方向に折り曲げて筒形状とした前記保護カバーによって前記着用した胸ベルトを覆い、前記面ファスナー雄部と前記面ファスナー雌部とを係止させることによって前記保護カバーによる前記着用した胸ベルトの被覆状態を固定化させた後、所定の建設作業を開始することを特徴とする、建設現場における作業方法。
【発明の詳細な説明】
【技術分野】
【０００１】
フルハーネス型墜落制止用器具が備える胸ベルトを保護するための部材の技術に関する。
【背景技術】
【０００２】
建設作業員の安全を考慮し、高所作業を行う場合、フルハーネス型墜落制止用器具の着用が義務付けられる。
【０００３】
そのような背景下、墜落制止用器具に関する技術的提案が多数行われており、例えば、特許文献１では、墜落防止機器の操作性に優れ、吊り下げられた作業者が立ち姿勢に近い姿勢を保持できるハーネス型安全帯（墜落制止用器具）が提案されている。
【先行技術文献】
【特許文献】
【０００４】
【特許文献１】特開２０１９−５２６３号公報
【発明の概要】
【発明が解決しようとする課題】
【０００５】
しかしながら、例えば、溶接工事の建設現場では、墜落制止用器具（特に、胸ベルト部分）が溶接の火花・熱・紫外線に曝され、機能劣化が進み易いという実情が有る中、上記の従来技術においては、その対策が何らなされていないという問題点があった。
【０００６】
そこで本発明では、上記問題点を鑑み、作業現場において発生する熱・火（火花）・紫外線による機能劣化の進行を遅らせ、ひいては、器具の不具合によって発生する労働災害の未然防止に寄与する、フルハーネス型墜落制止用器具が備える胸ベルトの保護カバーを提供することを目的とする。
【課題を解決するための手段】
【０００７】
開示する保護カバーは、建設現場において使用が義務付けられるフルハーネス型墜落制止用器具が備える胸ベルトを覆う保護カバーであって、耐火、耐熱及び耐紫外線の機能を備え、無機繊維（炭素繊維）を含む化学繊維で形成される布部材であって、ベルト形状を成す生地部と、先端を鉤状に起毛させた繊維によって形成される部位であって、前記生地部表面の短手方向一方端部において、長手方向の一方端部から他方端部まで一様に設置される面ファスナー雄部と、先端をループ状に密集して起毛させた繊維によって形成される部位であって、前記生地部裏面の短手方向他方端部において、長手方向の一方端部から他方端部まで一様に設置される面ファスナー雌部と、を有し、当該保護カバーが筒形状になるように短手方向に折り曲げて、前記胸ベルトを覆った後、前記面ファスナー雄部及び前記面ファスナー雌部を係止させることによって、前記胸ベルト上に固定することを特徴とする。
【０００８】
開示する建設現場における作業方法の一形態は、建設現場において使用が義務付けられるフルハーネス型墜落制止用器具が備える胸ベルトを覆う保護カバーであって、耐火、耐熱及び耐紫外線の機能を備え、無機繊維（炭素繊維）を含む化学繊維で形成される布部材であって、ベルト形状を成す生地部と、先端を鉤状に起毛させた繊維によって形成される部位であって、前記生地部表面の短手方向一方端部において、長手方向の一方端部から他方端部まで一様に設置される面ファスナー雄部と、先端をループ状に密集して起毛させた繊維によって形成される部位であって、前記生地部裏面の短手方向他方端部において、長手方向の一方端部から他方端部まで一様に設置される面ファスナー雌部と、を有する前記保護カバーを使用する、建設現場における作業方法において、前記フルハーネス型墜落制止用器具を着用し、着用した前記胸ベルトの長さに応じて前記保護カバーを切断し、短手方向に折り曲げて筒形状とした前記保護カバーによって前記着用した胸ベルトを覆い、前記面ファスナー雄部と前記面ファスナー雌部とを係止させることによって前記保護カバーによる前記着用した胸ベルトの被覆状態を固定化させた後、所定の建設作業を開始することを特徴とする。
【発明の効果】
【０００９】
開示する保護カバーは、フルハーネス型墜落制止用器具が備える胸ベルトに装着することによって、作業現場において発生する熱・火（火花）・紫外線による機能劣化の進行を遅らせ、ひいては、器具の不具合によって発生する労働災害の未然防止に寄与する。
【図面の簡単な説明】
【００１０】
【図１】本実施の形態に係るフルハーネス型墜落制止用器具の例を示す図である。
【図２】本実施の形態に係るフルハーネス型墜落制止用器具の例を示す図である。
【図３】本実施の形態に係る保護カバーの装着例を示す図である。
【図４】本実施の形態に係る保護カバーの平面図である。
【図５】本実施の形態に係る保護カバーの正面図である。
【図６】本実施の形態に係る保護カバーの側面図である。
【図７】本実施の形態に係る保護カバーのＡ−Ａ線拡大断面図である。
【図８】本実施の形態に係る保護カバーを折り曲げて筒形状にした参考図である。
【発明を実施するための形態】
【００１１】
図面を参照しながら、本発明を実施するための形態について説明する。
（本実施の形態に係る保護カバーの構造）
【００１２】
図１乃至８を用いて、本実施の形態に係る保護カバー１の構造について説明する。図１及び２は、保護カバー１を装着するフルハーネス型墜落制止用器具１０を示す図であり、図３は、フルハーネス型墜落制止用器具１０への保護カバー１の装着態様を示す図である。
【００１３】
図１乃至３で示すように、保護カバー１は、フルハーネス型墜落制止用器具１０が備える胸ベルト１２に装着して使用する。フルハーネス型墜落制止用器具１０は、建設作業員の安全を考慮し、高所作業を行う建設作業員等が装着を義務付けられる器具である。
【００１４】
図４乃至８は、保護カバー１の構造を説明するための図である。図４乃至７で示すように、保護カバー１は、生地部２、面ファスナー雄部４、面ファスナー雌部６を有する。
【００１５】
図４で示すように、生地部２（保護カバー１）は、短手方向・長手方向の長さが大きく異なる長方形（ベルト状）の外形状を成す。生地部２は、耐火、耐熱、耐紫外線の機能を備える化学繊維（無機繊維（炭素繊維）を含む）で形成される布部材である。建設の作業現場（特に、溶接工事の現場）において発生する熱・火（火花）・紫外線から、フルハーネス型墜落制止用器具１０が備える胸ベルト１２における機能劣化の進行を遅らせるための部位である。
【００１６】
生地部２は、例えば、片面にブラックシリコンコーティングを施したアラミド繊維の生地や、片面・両面にシリコンコートを施した炭化繊維の生地で形成されることが好適である。
【００１７】
図４乃至７で示すように、面ファスナー雄部４は、生地部２表面の短手方向一方端部において、長手方向の一方端部から他方端部まで一様に設置される部位である。また、面ファスナー雄部４は、先端を鉤状にして起毛させた繊維によって形成される。
【００１８】
図４乃至７で示すように、面ファスナー雌部６は、生地部２裏面の短手方向他方端部において、長手方向の一方端部から他方端部まで一様に設置される部位である。また、面ファスナー雌部６は、先端をループ状にして密集かつ起毛させた繊維によって形成される。
【００１９】
図８で示すように、面ファスナー雄部４及び面ファスナー雌部６は、保護カバー１が筒形状になるように短手方向に折り曲げ、両者を係止させることによって、その状態を固定化させるための部位である。
【００２０】
上記構造を備える保護カバー１は、フルハーネス型墜落制止用器具１０が備える胸ベルト１２に装着することによって、作業現場において発生する熱・火（火花）・紫外線による胸ベルト１２における機能劣化の進行を遅らせ、ひいては、器具１０の不具合によって発生する労働災害の未然防止に寄与する。
（本実施の形態に係る保護カバーの使用方法）
【００２１】
図１乃至８を用いて、保護カバー１の使用方法について説明する。図１及び２で示すように、はじめに建設作業員は、フルハーネス型墜落制止用器具１０を着用する。次に、建設作業員は、自分が装着している器具１０の胸ベルト１２の長さに応じて（合わせて）保護カバー１を（短手方向に）切断する。
【００２２】
そして建設作業員は、保護カバー１が筒形状になるように短手方向に折り曲げて、フルハーネス型墜落制止用器具１０の胸ベルト１２を覆う。さらに建設作業員は、面ファスナー雄部４と面ファスナー雌部６とを係止させることによって、その状態で保護カバー１を固定化させる。その後、建設作業員は、所定の作業を開始する。
【００２３】
建設作業員が着用しているフルハーネス型墜落制止用器具１０の胸ベルト１２は、耐火、耐熱、耐紫外線の機能を備える保護カバー１によって覆われるため、作業時に発生する熱・火（火花）・紫外線から保護され、機能劣化の進行を遅らせることができる。
【００２４】
上記のように保護カバー１を使用することによって、作業現場において発生する熱・火（火花）・紫外線による胸ベルト１２（フルハーネス型墜落制止用器具１０）の機能劣化の進行を遅らせ、ひいては、器具１０の不具合によって発生する労働災害の未然防止を企図する。
【００２５】
以上、本発明の実施の形態について詳述したが、本発明は係る特定の実施の形態に限定されるものではなく、特許請求の範囲に記載された本発明の要旨の範囲において、種々の変形・変更が可能である。
【符号の説明】
【００２６】
１    保護カバー
２    生地部
４    面ファスナー雄部
６    面ファスナー雌部
１０  フルハーネス型墜落制止用器具
１２  胸ベルト
【図１】
2020156621.tif 000003
【図２】
2020156621.tif 000004
【図３】
2020156621.tif 000005
【図４】
2020156621.tif 000006
【図５】
2020156621.tif 000007
【図６】
2020156621.tif 000008
【図７】
2020156621.tif 000009
【図８】
2020156621.tif 000010